(57)【要約】【課題】粉末状の溶岩を布団を構成する原料綿もしくは羽毛に適用することにより、美容や健康を増進することが可能な布団綿を提供しようとするものである。【解決手段】１）溶岩粉末を保持させた原料綿もしくは羽毛を主要原材料としたことを特徴とする布団綿。２）粒径が１μｍ以上の溶岩粉末を原料綿もしくは羽毛に保持させたことを特徴とする上記１）に記載の布団綿。３）気泡率が３０％以上の溶岩粉末を原料綿もしくは羽毛に保持させたことを特徴とする上記１）または２）に記載の布団綿。４）富士山系の溶岩粉末を原料綿もしくは羽毛に保持させたことを特徴とする上記１）ないし３）のいずれかに記載の布団綿。５）溶岩粉末を原料綿もしくは羽毛に保持させる手段が、接着剤を介した接着によるものであることを特徴とする上記１）ないし４）のいずれかに記載の布団綿。【選択図】      なし【特許請求の範囲】
【請求項１】
溶岩粉末を保持させた原料綿もしくは羽毛を主要原材料としたことを特徴とする布団綿。
【請求項２】
粒径が１μｍ以上の溶岩粉末を原料綿もしくは羽毛に保持させたことを特徴とする請求項１に記載の布団綿。
【請求項３】
気泡率が３０％以上の溶岩粉末を原料綿もしくは羽毛に保持させたことを特徴とする請求項１または２に記載の布団綿。
【請求項４】
富士山系の溶岩粉末を原料綿もしくは羽毛に保持させたことを特徴とする請求項１ないし３のいずれかに記載の布団綿。
【請求項５】
溶岩粉末を原料綿もしくは羽毛に保持させる手段が、接着剤を介した接着によるものであることを特徴とする請求項１ないし４のいずれかに記載の布団綿。
【発明の詳細な説明】
【技術分野】
【０００１】
この発明は溶岩粉末を原料綿もしくは羽毛に保持させたことにより新規な布団綿を提供することができ、溶岩の発する遠赤外線を有効に活用することができるようにした布団綿に関するものである。
【背景技術】
【０００２】
従来、火山地帯で産出する溶岩の用途としては、加工しやすいこと、軽量であること、吸水性があること等を利用した建築用ブロック等の建築素材、焼き肉用のプレートが一般的である。また最近では、溶岩が発生させる遠赤外線を利用した小石状の入浴材、炊飯用ジャー等に投入して炊飯時に使用するための炊飯用補助材等も知られている。
【０００３】
しかしながら粉末状の溶岩は、火山地帯では粉末といえば火山灰のことであり、火山灰はその悪影響ばかり強調されているために、溶岩を粉砕して粉末として利用することには思い至らないのが実情である。
【０００４】
そこで、本発明者は粉末状の溶岩の利用を鋭意研究した結果、これを遠赤外線放射板材としてシート状等の形態で利用した場合、人体の細胞を活性化させ、布団が日光でふっくらするように血管も拡張され、血液の循環が良くなって新陳代謝の促進を図ることができるので、美容や健康を増進することが判明し、特願平１１−７８８６６号（特開２０００−３１７公報  特許文献１参照）を提案した。
【０００５】
他方、セラミック類を繊維等に担持させる構造としては、特許第３５２９０４５号公報（特許文献２参照  微生物利用）、特開２０００−３４５４６９公報（特許文献３参照  遠赤外線セラミックス粉末と、−イオンセラミックスを混合）、登録実用新案第３００４３９３号公報（特許文献４参照  竹炭の粉末やセラミックス粉末利用）、特開平１−９７２６８号公報（特許文献５参照  セラミックコーティング）等が提案されている。
【特許文献１】特開２０００−３１７公報
【特許文献２】特許第３５２９０４５号公報
【特許文献３】特開２０００−３４５４６９公報
【特許文献４】登録実用新案第３００４３９３号公報
【特許文献５】特開平１−９７２６８号公報
【発明の開示】
【発明が解決しようとする課題】
【０００６】
しかしながら粉末状の溶岩を布団綿を構成する綿繊維に適用すること、とりわけ原料綿もしくは羽毛に適用することは、上記各特許文献にはまったく示唆するところがない。
【０００７】
そこで、本発明者は粉末状の溶岩を布団を構成する原料綿もしくは羽毛に適用することを鋭意研究した結果、何ら従来の綿布団もしくは羽毛布団と遜色がないことはもちろん、暖かく、軽く、通気性に富み、また原料綿もしくは羽毛の良好な感触を有するばかりでなく、人体の細胞を活性化させ、布団が日光でふっくらするように血管も拡張され、血液の循環が良くなって新陳代謝の促進を図ることができることが判明した。
すなわち、粉末状の溶岩を布団を構成する原料綿もしくは羽毛に適用することにより、美容や健康を増進することが可能な布団綿を提供しようとするものである。
【課題を解決するための手段】
【０００８】
すなわちこの発明の布団綿は、溶岩粉末を保持させた原料綿もしくは羽毛を主要原材料としたことを特徴とするものである。
【０００９】
この発明の布団綿は、粒径が１μｍ以上の溶岩粉末を原料綿もしくは羽毛に保持させたことをも特徴とするものである。
【００１０】
この発明の布団綿は、気泡率が３０％以上の溶岩粉末を原料綿もしくは羽毛に保持させたことをも特徴とするものである。
【００１１】
この発明の布団綿は、富士山系の溶岩粉末を原料綿もしくは羽毛に保持させたことをも特徴とするものである。
【００１２】
この発明の布団綿は、溶岩粉末を原料綿もしくは羽毛に保持させる手段が、接着剤を介した接着によるものであることをも特徴とするものである。
【００１３】
この発明において使用する溶岩粉末は、富士山系、特に富士五湖周辺において産出する溶岩を粉砕して得た粉末であることが望ましい。この富士山系、特に富士五湖周辺において産出する溶岩は、気泡率が３０％以上で遠赤外線の生成に優れた作用を発揮する。
【００１４】
溶岩粉末の粒径は１・ｍ以上であることが望ましく、これ以下の場合には飛散して作業環境や周辺の環境を損なうという問題がある。この粒径が２〜３ｍｍ以上の場合には、ざらざらしてしまって使用感が優れず、しかも使用中にプラスチックその他の材質で作製された袋状の可撓性シート等からなる担持体を傷付けてしまうという問題があった。もちろん、どの程度の粒度の溶岩粉末を使用するかは用途や使用形態を勘案して適宜決定することが可能である。
【００１５】
上記溶岩粉末を保持させる原料綿としては、綿花を製綿したもの、羊の毛を防虫加工して製綿したもの、蚕の糸をつむいで何百にも重ねて真綿にしたもの等の天然繊維のみならず、ポリエステル繊維等の化学繊維をも使用することができる。
また羽毛としては、ダックダウン、グースダウンやマザーグースダウン、アイダーダウン等から適宜選択することができる。このダウン（原料綿もしくは羽毛）は水鳥の胸の辺りから採れる、産毛状の保温性に富んだ素材であり、水鳥の体温調節のための肌着の役割をしているものである。またフェザー（羽根）とはダウン以外の、真ん中に硬い軸がある羽の部分のことをいい、羽毛布団はダウンとフェザーをある比率で混合した材料を中わたに使用して作られ、ダウンの比率が５０％以上のものを『羽毛布団』と呼ぶ。
【００１６】
溶岩粉末を原料綿もしくは羽毛に保持させる手段としては、ベルトコンベア上を搬送される原料綿もしくは羽毛に、接着剤を噴霧状に吹き付けるとともに溶岩粉末も噴霧状に吹き付けて原料綿もしくは羽毛に溶岩粉末を付着させたり、接着剤および溶岩粉末を噴霧状にスプレーした容器内に原料綿もしくは羽毛を投入して圧送ガス等で攪拌し、バッチ式に原料綿もしくは羽毛に溶岩粉末を付着させたりすることが挙げられる。
【発明の効果】
【００１７】
この発明の布団綿は以上のように構成したので、利用しやすい形態で種々の用途に使用することができ、しかも人体の細胞を活性化させ、血液の循環が良くなって新陳代謝の促進を図ることができるので、美容や健康を増進する新規な布団綿を提供することができるようになった。
【発明を実施するための最良の形態】
【００１８】
以下、この発明の布団綿の実施の形態を、実施例に基いてより詳細に説明する。
【００１９】
［製造例１］
ベルトコンベア上を搬送されてくる原料綿もしくは羽毛の上に、粒径が約１０〜３０μｍで気泡率が３０％以上の溶岩粉末およびほぼ等量のスプレー用接着剤（スプレーのり等）を、コンプレッサで吹き付け、未接着の溶岩粉末をふるい落として原料綿もしくは羽毛に溶岩粉末を付着させた布団綿を得た。
【００２０】
［製造例２］
粒径が１０〜３０・ｍで気泡率が３０％以上の溶岩粉末３０ｇ、およびほぼ等量のスプレー用接着剤（スプレーのり等）を噴霧状にスプレーした容器内に原料綿もしくは羽毛１００ｇを投入して圧送ガス等で攪拌し、バッチ式に原料綿もしくは羽毛に溶岩粉末を付着させて原料綿もしくは羽毛に溶岩粉末を付着させた布団綿を得た。
【実施例】
【００２１】
原料綿もしくは羽毛に溶岩粉末を付着させた布団綿を、溶岩粉末を付着させていない布団綿とそれぞれ下記の割合で配合して所望の布団綿を得た。
所定割合の布団綿のそれぞれの効能について表１に示す。いずれの配合のものも、人体の細胞を活性化させ、血液の循環が良くなって新陳代謝の促進を図ることができるので、美容や健康を増進することができ、コスト的にも非常に優れた布団綿が得られた。
【表１】
2007303042.tif 000002
表中のＡは溶岩粉末を付着させた原料綿もしくは羽毛、Ｂは通常の原料綿もしくは羽毛である。
【産業上の利用可能性】
【００２２】
この発明の布団綿は、綿入りの布団や羽毛布団としてのみならず、室内のフロアシートやマットレス、クッション材等として、また、パッケージ用の種々の緩衝材やその他の様々な用途に適用することができる。